【手続補正書】
【提出日】平成23年6月7日(2011.6.7)
【手続補正１】
【補正対象書類名】特許請求の範囲
【補正対象項目名】全文
【補正方法】変更
【補正の内容】
【特許請求の範囲】
【請求項１】
少なくとも３つの突起および少なくとも３つのケース突起を含む、第１の測定装置のケース；
（ｉ）少なくとも３つの逃げ切り欠き部；（ｉｉ）少なくとも３つのウィンドウ突起；および（ｉｉｉ）溝を含み、前記溝がさらに底部リップを含む、前記第１の測定装置のウィンドウ；
前記溝に載置するサイズに形成されたガスケット材料；
を含む測定装置システムであって、
前記ウィンドウを前記ケースに組み付ける最中に前記少なくとも３つの逃げ切り欠き部が前記少なくとも３つの突起と整列されるとき、前記少なくとも３つの逃げ切り欠き部は、前記少なくとも３つの突起が前記少なくとも３つの逃げ切り欠き部を迂回できるような構成および寸法にされており、
前記ウィンドウを前記ケースに組み付ける最中に前記少なくとも３つの逃げ切り欠き部が前記少なくとも３つの突起と整列されないとき、前記少なくとも３つの突起は、前記ウィンドウに関連した前記溝の底部リップにスナップ嵌めされて、前記ウィンドウを前記ケースに固定するような構成および寸法にされており；
前記ウィンドウを前記ケースに組み付ける最中に前記少なくとも３つの逃げ切り欠き部が前記少なくとも３つの突起と整列されるとき、前記少なくとも３つのウィンドウ突起は、前記少なくとも３つのケース突起と整列しかつそれに載置され、かつ前記測定装置の前側の周りに少なくとも３つの逃げ領域を画成するような構成および寸法にされており；および
前記ウィンドウを前記ケースに組み付ける最中に前記少なくとも３つの逃げ切り欠き部が前記少なくとも３つの突起と整列されないとき、前記少なくとも３つのウィンドウ突起は、前記少なくとも３つのウィンドウ突起のそれぞれを２つの隣接するケース突起間に位置決めして前記第１の測定装置に丸い前面を形成できるような構成および寸法にされている、測定装置システム。
【請求項２】
前記第１の測定装置が圧力測定装置である、請求項１に記載の測定装置システム。
【請求項３】
前記第１の測定装置が温度測定装置である、請求項１に記載の測定装置システム。
【請求項４】
前記ガスケット材料がＯリングであり、前記ウィンドウを前記ケースに組み付けた後、前記Ｏリングが前記ウィンドウとケースとの間にラジアル式シールを形成している、請求項１に記載の測定装置システム。
【請求項５】
さらに、少なくとも３つの噛み合い構造を含む取り外し可能リングを含み、
前記取り外し可能リングの前記少なくとも３つの噛み合い構造が、前記ケースの前記少なくとも３つのケース突起に解放可能に固定されて、前記取り外し可能リングを前記ケースに解放可能に固定し、かつ前記ウィンドウを前記取り外し可能リングとケースとの間で封止する、請求項１に記載の測定装置システム。
【請求項６】
前記少なくとも３つの噛み合い構造が傾斜式の噛み合い構造である、請求項５に記載の測定装置システム。
【請求項７】
前記ウィンドウが、プラスチック成形されたウィンドウである、請求項１に記載の測定装置システム。
【請求項８】
さらに保持リングを含み、前記保持リングが前記ケースにしっかりと固定されて、前記ウィンドウを前記保持リングと前記ケースとの間で封止する、請求項１に記載の測定装置システム。
【請求項９】
前記保持リングの後端を前記ケースにクリンピングまたはローリングすることによって、前記保持リングが前記ケースにしっかりと固定される、請求項８に記載の測定装置システム。
【請求項１０】
前記ウィンドウを前記ケースに組み付けた後、前記少なくとも３つの突起が、前記ウィンドウに関連した前記溝の底部リップにスナップ嵌めされて、前記ウィンドウを前記ケースに固定し；かつ
前記少なくとも３つのウィンドウ突起のそれぞれが、２つの隣接するケース突起間に位置決めされて、前記ウィンドウを前記ケースに組み付けた後、前記第１の測定装置に丸い前面を形成する、請求項１に記載の測定装置システム。
【請求項１１】
測定装置システムの製造方法であって、
少なくとも３つの突起および少なくとも３つのケース突起を含む、第１の測定装置のケースを提供すること；
（ｉ）少なくとも３つの逃げ切り欠き部；（ｉｉ）少なくとも３つのウィンドウ突起；および（ｉｉｉ）溝を含み、前記溝がさらに底部リップを含む、前記第１の測定装置のウィンドウを提供することであって；
前記ウィンドウを前記ケースに組み付ける最中に前記少なくとも３つの逃げ切り欠き部が前記少なくとも３つの突起と整列されるとき、前記少なくとも３つの逃げ切り欠き部は、前記少なくとも３つの突起が前記少なくとも３つの逃げ切り欠き部を迂回できるような構成および寸法にされており；
前記ウィンドウを前記ケースに組み付ける最中に前記少なくとも３つの逃げ切り欠き部が前記少なくとも３つの突起と整列されないとき、前記少なくとも３つの突起は、前記ウィンドウに関連した前記溝の底部リップにスナップ嵌めされて前記ウィンドウを前記ケースに固定するような構成および寸法にされており；
前記ウィンドウを前記ケースに組み付ける最中に前記少なくとも３つの逃げ切り欠き部が前記少なくとも３つの突起と整列されるとき、前記少なくとも３つのウィンドウ突起は、前記少なくとも３つのケース突起と整列しかつそれに載置され、かつ前記測定装置の前側の周りに少なくとも３つの逃げ領域を画成するような構成および寸法にされており；
前記ウィンドウを前記ケースに組み付ける最中に前記少なくとも３つの逃げ切り欠き部が前記少なくとも３つの突起と整列されないとき、前記少なくとも３つのウィンドウ突起は、前記少なくとも３つのウィンドウ突起のそれぞれを２つの隣接するケース突起間に位置決めして前記第１の測定装置に丸い前面を形成できるような構成および寸法にされていること；
前記溝に載置するサイズに形成されたガスケット材料を提供すること；
前記ガスケット材料を前記溝に載置すること；および
前記ウィンドウを前記ケースに組み付けること
を含む、方法。
【請求項１２】
前記第１の測定装置が圧力測定装置である、請求項１１に記載の方法。
【請求項１３】
前記第１の測定装置が温度測定装置である、請求項１１に記載の方法。
【請求項１４】
前記ガスケット材料がＯリングであり、前記ウィンドウを前記ケースに組み付けた後、前記Ｏリングが前記ウィンドウと前記ケースとの間にラジアル式シールを形成する、請求項１１に記載の方法。
【請求項１５】
さらに、少なくとも３つの噛み合い構造を含む取り外し可能リングを提供することを含み；前記取り外し可能リングの前記少なくとも３つの噛み合い構造が、前記ケースの前記少なくとも３つのケース突起に解放可能に固定されて、前記取り外し可能リングを前記ケースに解放可能に固定し、かつ前記ウィンドウを前記取り外し可能リングと前記ケースとの間で封止する、請求項１１に記載の方法。
【請求項１６】
前記少なくとも３つの噛み合い構造が傾斜式の噛み合い構造である、請求項１５に記載の方法。
【請求項１７】
前記ウィンドウが、プラスチック成形されたウィンドウである、請求項１１に記載の方法。
【請求項１８】
さらに、保持リングを提供することを含み、前記保持リングが前記ケースにしっかりと固定されて、前記ウィンドウを前記保持リングと前記ケースとの間に封止する、請求項１１に記載の方法。
【請求項１９】
前記保持リングの後端を前記ケースにクリンピングまたはローリングすることによって、前記保持リングが前記ケースにしっかりと固定される、請求項１８に記載の方法。
【請求項２０】
前記少なくとも３つの突起が、前記ウィンドウに関連した前記溝の底部リップにスナップ嵌めされて、前記ウィンドウを前記ケースに組み付けた後、前記ウィンドウを前記ケースに固定し；かつ
前記少なくとも３つのウィンドウ突起のそれぞれが、２つの隣接するケース突起間に位置決めされて、前記ウィンドウを前記ケースに組み付けた後、前記第１の測定装置に丸い前面を形成する、請求項１１に記載の方法。